(57)【要約】  【課題】地盤の不安定性に対して、低いコストで安定的に太陽電池モジュールを支持し得る支持構造及びそのための取付金具を提供する。  【解決手段】複数のコンクリートブロック１０と、取付金具２０とを備え、取付金具２０は、コンクリートブロック１０上に起立する保持板３０と、該保持板に保持された支持片４０とを備え、保持板３０は、太陽電池モジュールＭの傾斜方向に延びる傾斜方向板３１と、該傾斜方向板から等高方向に等高方向板３２とを備え、支持片４０は、下部が等高方向板３２に支持され上部が前記傾斜角度で延びる傾斜方向片４１と、下部が傾斜方向板３１に支持され上部が前記傾斜角度で等高方向に延びる等高方向片４２とを備え、各支持片４０は保持板３０に対して、太陽電池モジュールは支持片４０の上部に対して、各々所定値以上の外力で滑動し得るように締結されている太陽電池モジュールの支持構造及びその取付金具。【選択図】図１
2010258024.tif 000002
【特許請求の範囲】
【請求項１】
複数の太陽電池モジュールを水平面に対して所定の傾斜角度で支持する支持構造であって、
各太陽電池モジュールの複数の支持箇所に対応して設置されたコンクリートブロックと、各コンクリートブロック上に支持された取付金具とを備え、
該取付金具は、前記コンクリートブロック上に起立する保持板と、該保持板に保持された支持片とを備え、
前記保持板は、太陽電池モジュールの傾斜方向に延びる傾斜方向板と、該傾斜方向板から曲折して太陽電池モジュールの等高方向に沿って延びる等高方向板とを備え、
前記支持片は、下部が前記等高方向板に支持されて上下方向に延び上部が前記傾斜角度で延びる傾斜方向片と、下部が前記傾斜方向板に支持されて上下方向に延び上部が前記傾斜角度で前記等高方向に延びる等高方向片とを備え、
前記各支持片は、前記保持板に対して、上下方向に固定的に支持され、水平方向に所定値以上の外力で滑動し得るように締結されており、
太陽電池モジュールは、前記支持片の上部に対して該上部の延在方向に沿って所定値以上の外力で滑動し得るように締結されている
ことを特徴とする太陽電池モジュールの支持構造。
【請求項２】
前記保持板に水平方向に延びるスリットが形成され、前記支持片に係合したボルトを該スリットに通し、ナットを締結すると共に締結されるいずれかの部材間にスプリングワッシャを介在させることにより、前記支持片が前記保持板に対して所定値以上の外力で滑動可能とされていることを特徴とする請求項１に記載の太陽電池モジュールの支持構造。
【請求項３】
前記支持片の下部には上下方向に並ぶ複数の貫通孔が形成され、選択された高さに位置する貫通孔と前記保持板のスリットとにボルトを通して前記スプリングワッシャの介在下にナットが締結されていることを特徴とする請求項２に記載の太陽電池モジュールの支持構造。
【請求項４】
前記支持片には上部の延在方向に沿って延びるスリットが形成され、前記太陽電池モジュールに係合したボルトを該スリットに通し、ナットを締結すると共に締結されるいずれかの部材間にスプリングワッシャを介在させることにより、太陽電池モジュールが前記支持片に対して所定値以上の外力で滑動可能とされていることを特徴とする請求項１から３のいずれかに記載の太陽電池モジュールの支持構造。
【請求項５】
前記支持片には、上下方向に延びる下部に対して鋭角をなす側において前記傾斜角度で延びる傾斜方向片を有するものと、上下方向に延びる下部に対して鈍角をなす側において前記傾斜角度で延びる傾斜方向片を有するものとが含まれていることを特徴とする請求項１から４のいずれかに記載の太陽電池モジュールの支持構造。
【請求項６】
前記支持片には、上下方向に延びる下部に対して右方へ延びる前記等高方向片が前記傾斜角度で傾斜しているものと、上下方向に延びる下部に対して左方へ延びる前記等高方向片が前記傾斜角度で傾斜しているものとが含まれていることを特徴とする請求項１から４のいずれかに記載の太陽電池モジュールの支持構造。
【請求項７】
前記コンクリートブロックは、各太陽電池モジュールの縁部付近の４箇所に離間して配置され、
該４箇所のコンクリートブロック上の取付金具は、下部に対して鋭角をなす傾斜方向片を備えたもの、下部に対して鈍角をなす傾斜方向片を備えたもの、下部に対して右方の等高方向片が前記傾斜角度で傾斜しているもの、及び、下部に対して左方の等高方向片が前記傾斜角度で傾斜しているものからなっており、
隣り合って位置する太陽電池モジュールに対しては、２個の太陽電池モジュールに跨るようにコンクリートブロック及び取付金具が配置され、１個の取付金具における２個の支持片が隣り合うコンクリートブロックに１個ずつ結合されている
ことを特徴とする請求項１から６のいずれかに記載の太陽電池モジュールの支持構造。
【請求項８】
複数の太陽電池モジュールを水平面に対して所定の傾斜角度で支持するための取付金具であって、
前記コンクリートブロック上に起立状態で設置可能な保持板と、該保持板に保持された支持片とを備え、
前記保持板は、平面視において第１の方向に延びる第１方向板と、これに垂直な第２の方向に延びる第２方向板とを備え、
前記支持片は、下部が前記第２方向板に支持されて上下方向に延び上部が前記第１方向に沿って前記傾斜角度で延びる第１方向片と、下部が前記第１方向板に支持されて上下方向に延び上部が前記傾斜角度で前記第２方向に沿って延びる第２方向片とを備え、
前記保持板には、前記支持片をボルトにより支持するために、水平方向に延びるスリットが形成され、前記支持片には、太陽電池モジュールをボルトにより支持するために、該支持片上部の延在方向に沿って延びるスリットが形成されていることを特徴とする太陽電池モジュール用取付金具。
【請求項９】
前記支持片には、上下方向に延びる下部に対して鋭角をなす側において前記傾斜角度で延びる第１方向片を有するものと、上下方向に延びる下部に対して鈍角をなす側において前記傾斜角度で延びる第１方向片を有するものとが含まれていることを特徴とする請求項８に記載の太陽電池モジュール用取付金具。
【請求項１０】
前記支持片には、上下方向に延びる下部に対して右方へ延びる前記第２方向片が前記傾斜角度で傾斜しているものと、上下方向に延びる下部に対して左方へ延びる前記第２方向片が前記傾斜角度で傾斜しているものとが含まれていることを特徴とする請求項８または９に記載の太陽電池モジュール用取付金具。
【発明の詳細な説明】
【技術分野】
【０００１】
本発明は、太陽電池モジュールの支持構造及び該支持構造のための取付金具に関する。
【背景技術】
【０００２】
太陽光発電の普及に伴い、太陽電池モジュールを地上に設置するための架台や支持構造が種々提案されている。その多くは、堅固な地盤上に構築されることを前提とし、地盤上に設置される架台等に高い機械的強度を持たせることを目的としている。
【０００３】
例えば、特許文献１に記載の太陽電池モジュール設置用架台は、台座となるコンクリートブロックを並設し、Ｌ字形フレーム材を枠状に組んだ架台本体をコンクリートブロック上に差し渡してビス止めまたはボルト止めで固定したものであり、コンクリートブロックの高さを異ならせることにより、その上に設置される太陽電池モジュールを太陽に向く傾斜状態とする。
【０００４】
特許文献２に記載の設置架台は、鋼板製の支柱や桟を直角三角形状に組み合わせたものを基礎部の上に複数立てて並べ、並列する傾斜材上に複数の水平桟を結合した骨組み構造のものである。太陽電池モジュールは、この骨組み構造の上に設置される。
【先行技術文献】
【特許文献】
【０００５】
【特許文献１】特開平１１−１７７１１４号公報
【特許文献２】特開２００８−２０８５５４号公報
【発明の概要】
【発明が解決しようとする課題】
【０００６】
上記特許文献に記載されたものを含め、多くの太陽電池モジュールの支持構造は、堅固な地盤上に強固な構造を構築するものであった。
【０００７】
しかしながら、太陽光発電システムを設置する地盤は、堅固である場合ばかりではない。特に、大規模な発電システムの構築は、埋め立て地等の軟弱地盤上で行なわれる場合もある。また、堅固な地盤であっても長い年月と共に表面高さが変化することもある。このような地盤の不安定性に対し、コンクリート基礎を巨大なものとしたり、鋼材等による骨組み構造を強固にすることにより、安定した設置状態を確保することも不可能ではない。
【０００８】
しかしながら、その安定の確保のためには、大掛かりな基礎や構造を必要とし、その結果、発電システム構築のためのコストが高騰することとなる。
【０００９】
そこで、本発明は、軟弱地盤や長期的観点での地盤の不安定性に対して、低いコストで安定的に太陽電池モジュールを支持し得る支持構造及びそのための取付金具を提供することを目的とする。
【課題を解決するための手段】
【００１０】
本発明は、前記目的を達成するため、複数の太陽電池モジュールを水平面に対して所定の傾斜角度で支持する支持構造であって、各太陽電池モジュールの複数の支持箇所に対応して設置されたコンクリートブロックと、各コンクリートブロック上に支持された取付金具とを備え、該取付金具は、前記コンクリートブロック上に起立する保持板と、該保持板に保持された支持片とを備え、前記保持板は、太陽電池モジュールの傾斜方向に延びる傾斜方向板と、該傾斜方向板から曲折して太陽電池モジュールの等高方向に沿って延びる等高方向板とを備え、前記支持片は、下部が前記等高方向板に支持されて上下方向に延び上部が前記傾斜角度で延びる傾斜方向片と、下部が前記傾斜方向板に支持されて上下方向に延び上部が前記傾斜角度で前記等高方向に延びる等高方向片とを備え、前記各支持片は、前記保持板に対して、上下方向に固定的に支持され、水平方向に所定値以上の外力で滑動し得るように締結されており、太陽電池モジュールは、前記支持片の上部に対して該上部の延在方向に沿って所定値以上の外力で滑動し得るように締結されていることを特徴とする太陽電池モジュールの支持構造を提供するものである。
【００１１】
本発明はまた、前記目的を達成するため、複数の太陽電池モジュールを水平面に対して所定の傾斜角度で支持するための取付金具であって、前記コンクリートブロック上に起立状態で設置可能な保持板と、該保持板に保持された支持片とを備え、前記保持板は、平面視において第１の方向に延びる第１方向板と、これに垂直な第２の方向に延びる第２方向板とを備え、前記支持片は、下部が前記第２方向板に支持されて上下方向に延び上部が前記第１方向に沿って前記傾斜角度で延びる第１方向片と、下部が前記第１方向板に支持されて上下方向に延び上部が前記傾斜角度で前記第２方向に沿って延びる第２方向片とを備え、前記保持板には、前記支持片をボルトにより支持するために、水平方向に延びるスリットが形成され、前記支持片には、太陽電池モジュールをボルトにより支持するために、該支持片上部の延在方向に沿って延びるスリットが形成されていることを特徴とする太陽電池モジュール用取付金具を提供するものである。
【００１２】
［作用］
（１）本発明に係る太陽電池モジュールの支持構造は、各コンクリートブロック上に起立する保持板が、太陽電池モジュールの傾斜方向に延びる傾斜方向板と、該傾斜方向板から曲折して等高方向に沿って延びる等高方向板とを備え、該保持板に保持される支持片は、下部が前記等高方向板に支持されて上下方向に延び上部が前記傾斜角度で延びる傾斜方向片と、下部が前記傾斜方向板に支持されて上下方向に延び上部が前記傾斜角度で前記等高方向に延びる等高方向片とを備えている。したがって、太陽電池モジュールは、これら異なる方向に延びる支持片に支持されることとなる。
【００１３】
そして、各支持片は、保持板に対して、上下方向に固定的に支持され、水平方向に所定値以上の外力で滑動し得るように締結される。また、太陽電池モジュールは、支持片の上部に対して該上部の延在方向に沿って所定値以上の外力で滑動し得るように締結されている。その結果、支持構造を設置している地盤が不等沈下等により歪を生じると、保持板と支持片、支持片と太陽電池モジュールの間に作用する大きな外力により、締結部分が滑動して地盤の歪を吸収する。これにより、太陽電池モジュールは、締結部分から大きな外力を受けるのが防止され、安定的に支持される。
【００１４】
（２）上記（１）の支持構造は、前記保持板に水平方向に延びるスリットが形成され、前記支持片に係合したボルトを該スリットに通し、ナットを締結すると共に締結されるいずれかの部材間にスプリングワッシャを介在させることにより、前記支持片が前記保持板に対して所定値以上の外力で滑動可能とされているものとすることができる。
【００１５】
このように、保持板に形成された水平方向のスリットと、該スリットに通されたボルトに対するスプリングワッシャ介在下でのナットの締結とにより、支持片が上記滑動を可能とされている。したがって、構造が簡単で且つ安定しており、しかも締結作業が容易である。
【００１６】
（３）上記（１）または（２）の支持構造は、前記支持片の下部に上下方向に並ぶ複数の貫通孔が形成され、選択された高さに位置する貫通孔と前記保持板のスリットとにボルトを通してナットを締結すると共に締結されるいずれかの部材間にスプリングワッシャを介在させたものとすることができる。
【００１７】
これにより、支持片の貫通孔を選択してボルトを通し締結するだけで、所望の高さに太陽電池モジュールを支持することができ、支持が安定し、作業も容易である。
【００１８】
（４）上記（１）から（３）の支持構造は、前記支持片に上部の延在方向に沿って延びるスリットが形成され、前記太陽電池モジュールに係合したボルトを該スリットに通し、ナットを締結すると共に締結されるいずれかの部材間にスプリングワッシャを介在させることにより、太陽電池モジュールが前記支持片に対して所定値以上の外力で滑動可能とされているものとすることができる。
【００１９】
このように、支持片の上部に沿って形成されたスリットと、該スリットに通されたボルトに対するスプリングワッシャ介在下でのナットの締結とにより、太陽電池モジュールが上記滑動を可能とされている。したがって、構造が簡単で且つ安定しており、しかも締結作業が容易である。
【００２０】
（５）上記（１）から（４）の支持構造は、前記支持片に、上下方向に延びる下部に対して鋭角をなす側において前記傾斜角度で延びる傾斜方向片を有するものと、上下方向に延びる下部に対して鈍角をなす側において前記傾斜角度で延びる傾斜方向片を有するものとが含まれているものとすることができる。
【００２１】
このように傾斜の向きを逆にした２種類の傾斜形態を有する支持片を１つの太陽電池モジュールの支持に適用することにより、地盤の変形に伴って様々な方向に生じ得る歪に対して、多様な吸収性能を発揮することができ、支持の安定性が高められる。
【００２２】
（６）上記（１）から（５）の支持構造は、前記支持片に、上下方向に延びる下部に対して右方へ延びる前記等高方向片が前記傾斜角度で傾斜しているものと、上下方向に延びる下部に対して左方へ延びる前記等高方向片が前記傾斜角度で傾斜しているものとが含まれているものとすることができる。
【００２３】
このように下部に対する延在方向を逆にした種類の傾斜形態を有する支持片を１つの太陽電池モジュールの支持に適用することにより、地盤の変形に伴って様々な方向に生じ得る歪に対して、多様な吸収性能を発揮することができ、支持の安定性が高められる。
【００２４】
（７）上記（１）から（６）の支持構造は、前記コンクリートブロックが、各太陽電池モジュールの縁部付近の４箇所に離間して配置され、該４箇所のコンクリートブロック上の取付金具は、下部に対して鋭角をなす傾斜方向片を備えたもの、下部に対して鈍角をなす傾斜方向片を備えたもの、下部に対して右方の等高方向片が前記傾斜角度で傾斜しているもの、下部に対して左方の等高方向片が前記傾斜角度で傾斜しているものからなっており、隣り合って位置する太陽電池モジュールに対しては、２個の太陽電池モジュールに跨るようにコンクリートブロック及び取付金具が配置され、１個の取付金具における２個の支持片が隣り合うコンクリートブロックに１個ずつ結合されているものとすることができる。
【００２５】
ここでは、４種類の傾斜形態を有する支持片が１つの太陽電池モジュールの支持に適用される。そして、これらは太陽電池モジュールの傾斜方向と等高方向との双方に対して各々異なった２つの傾斜形態を有している。その結果、地盤の変形に伴って様々な方向に生じ得る歪に対して、より多様な吸収性能を発揮することができ、支持の安定性がより高められる。
【００２６】
（８）上記太陽電池モジュール取付金具は、第１方向及び第２方向が各々、上記支持構造について述べた傾斜方向及び等高方向となるように配置することにより、上記支持構造における支持片及び保持板を実現するものである。したがって、コンクリートブロック上に該取付金具を用いて太陽電池モジュールを支持すれば、上記支持構造について述べたのと同様にして、不等沈下等による地盤の歪い対して、締結部分が滑動して地盤の歪を吸収することとなり、太陽電池モジュールは、締結部分から大きな外力を受けるのが防止され、安定的に支持される。
【００２７】
（９）上記（８）の取付金具は、前記支持片に、上下方向に延びる下部に対して鋭角をなす側において前記傾斜角度で延びる第１方向片を有するものと、上下方向に延びる下部に対して鈍角をなす側において前記傾斜角度で延びる第１方向片を有するものとが含まれているものとすることができる。
【００２８】
このように、支持構造を構築する際に、傾斜の向きを逆にした２種類の傾斜形態を有する支持片を１つの太陽電池モジュールの支持に適用することにより、地盤の変形に伴って様々な方向に生じ得る歪に対して、多様な吸収性能を発揮することができ、支持の安定性が高められる。
【００２９】
（１０）上記（８）または（９）の取付金具は、前記支持片に、上下方向に延びる下部に対して右方へ延びる前記第２方向片が前記傾斜角度で傾斜しているものと、上下方向に延びる下部に対して左方へ延びる前記第２方向片が前記傾斜角度で傾斜しているものとが含まれているものとすることができる。
【００３０】
このように、支持構造を構築する際に、下部に対する延在方向を逆にした種類の傾斜形態を有する支持片を１つの太陽電池モジュールの支持に適用することにより、地盤の変形に伴って様々な方向に生じ得る歪に対して、多様な吸収性能を発揮することができ、支持の安定性が高められる。
【発明の効果】
【００３１】
以上のように、本発明によれば、軟弱地盤や長期的観点での地盤の不安定性に対して、低いコストで安定的に太陽電池モジュールを支持し得る支持構造及びそのための取付金具を提供することができる。
【図面の簡単な説明】
【００３２】
【図１】本発明の一実施形態に係る太陽電池モジュールの支持構造を示す斜視図である。
【図２】図１に示した支持構造の要部を拡大して示す斜視図である。
【図３】図１に示した支持構造に用いられている保持板を示す図であり、(a) は正面図、(b) は側面図、(c)は平面図である。
【図４】図１に示した支持構造に用いられている支持片の一形態を示す図であり、(a) は正面図、(b) は側面図である。
【図５】図１に示した支持構造に用いられている支持片の他の形態を示す図であり、(a) は正面図、(b) は側面図である。
【図６】図１に示した支持構造に用いられている支持片のさらに他の形態を示す図であり、(a) は正面図、(b) は側面図である。
【図７】図１に示した支持構造に用いられている支持片のさらに他の形態を示す図であり、(a) は正面図、(b) は側面図である。
【図８】図１に示した支持構造における取付金具の要部の詳細を示す斜視図である。
【図９】図１に示した支持構造における太陽電池モジュールと取付金具との結合状態を示す切断端面図である。
【図１０】図１に示した支持構造に地盤変形による滑動が生じた状況の一例を示す斜視図である。
【発明を実施するための形態】
【００３３】
以下、本発明の実施形態について添付図面を参照しつつ説明する。図１は本発明の一実施形態に係る太陽電池モジュールの支持構造を示す斜視図であり、図２は支持構造の要部を拡大して示している。
【００３４】
この太陽電池モジュールの支持構造は、以下に説明するように、複数の太陽電池モジュールＭを水平面に対して所定の受光角度に傾斜させて支持するように構築されている。太陽電池モジュールを配置する地盤には、各太陽電池モジュールの支持箇所に対応してコンクリートブロック１０が設置されている。この実施形態では、太陽電池モジュールの左右縁部を４箇所で支持する構造となっており、太陽電池モジュールが太陽光を効率よく受ける受光角度に向くように、図１の奧側のコンクリートブロック１０ｂが手前側のコンクリートブロック１０ａより高くなっている。
【００３５】
以下では、説明上、低いコンクリートブロック１０ａがある側（図１の手前側）を前方、高いコンクリートブロック１０ｂがある側（図１の奧側）を後方と称する。また、この高低差により太陽電池モジュールが前後に傾斜するので、この方向を傾斜方向と称し、これに垂直な太陽電池モジュールの左右方向を等高方向と称する。太陽電池モジュールは、太陽電池セル（太陽光発電に用いる太陽電池の構成要素の最小単位）又は太陽電池サブモジュール（分割できない一つの基板に複数個同時に形成された太陽電池セル群の最小単位）を、耐環境性のため外囲器に封入し、かつ、規定の出力をもたせた最小単位の発電ユニットである。
【００３６】
各コンクリートブロック１０の上には取付金具２０が設置されている。取付金具２０は、コンクリートブロックＭ上に起立する保持板３０と、該保持板に保持された支持片４０とを備えている。
【００３７】
保持板３０は、図３にも示すように、平板状の鋼板を折り曲げて形成されており、太陽電池モジュールの傾斜方向（第１方向）に延びる傾斜方向板３１（第１方向板）と、該傾斜方向板から曲折して等高方向（第２方向）に沿って延びる等高方向板３２（第２方向板）とを備えている。各板３１，３２の下部は外側に折り曲げられ脚部３１１，３２１となっている。傾斜方向板３１及び等高方向板３２の上部には各々水平方向に延びるスリット３１２，３２２が形成されている。脚部３１１，３１２には各々固定用の孔３１３，３２３が形成されており、コンクリートブロック１０に立設されたアンカーボルト５７をこれらの孔３１２，３２２に通してナット５８を締結することにより、保持板３０がコンクリートブロック１０に固定されている。或いは、孔３１３，３２３に通した固定用ボルトをコンクリートブロック１０に螺入して保持板３０をコンクリートブロック１０に固定してもよい。
【００３８】
支持片４０は、細長い鋼板を折り曲げて形成されており、下部４１１が等高方向板に支持されて上下方向に延び上部４１２が前記傾斜角度で延びる傾斜方向片４１（第１方向片）と、下部４２１が傾斜方向板に支持されて上下方向に延び上部４２２が前記傾斜角度で前記等高方向に延びる等高方向片４２（第２方向片）とに区別される。
【００３９】
これらの支持片４０は、この実施形態においてはさらに異なる形態に区別される。すなわち、図４〜図７にも示すように傾斜方向片４１は、下部４１１に対して鋭角をなす側において上部４１２が前記傾斜角度で延びる傾斜方向片４１ａと、下部４１１に対して鈍角をなす側において上部４１２が前記傾斜角度で延びる傾斜方向片４１ｂとに区別される。また、等高方向片４２は、下部４２１に対して右方へ延びる上部４２２が前記傾斜角度で傾斜している等高方向片４２ａと、下部４２１に対して左方へ延びる上部４２２が傾斜角度で傾斜している等高方向片４２ｂとに区別される。
【００４０】
これら４種類の支持片は、太陽電池モジュールＭに対して次のように配置されている。すなわち、コンクリートブロック１０は、左右に隣り合う太陽電池モジュールＭの境界を中心として２つの太陽電池モジュールに跨って、前後に１個ずつ配置されている。そして、各コンクリートブロック１０上に１個の取付金具２０が載置されている。したがって、１個の太陽電池モジュールＭの縁部の４箇所に離間してコンクリートブロック１０及び取付金具２０が配置され、コンクリートブロック１０及び取付金具２０の各々は左右に隣り合う太陽電池モジュールが共有する形となっている。
【００４１】
これを図１の中央の太陽電池モジュールＭ０について見ると、取付金具２０は以下のように配置されている。
・右前に位置する取付金具２０ａ：［等高方向板３２］＋［下部４１１に対して上部４１２が鋭角をなす傾斜方向片４１ａ］
・左後ろに位置する取付金具２０ｂ：［等高方向板３２］＋［下部４１１に対して上部４１２が鈍角をなす傾斜方向片４１ｂ］
・左前に位置する取付金具２０ｃ：［傾斜方向板３１］＋［下部４２１に対して上部４２２が右方へ延びる等高方向片４２ａ］
・右後ろに位置する取付金具２０ｄ：［傾斜方向板３１］＋［下部４２１に対して上部４２２が左方へ延びる等高方向片４２ｂ］
【００４２】
地盤が不等沈下等により変形すると、これに伴って４個のコンクリートブロック１０の相対位置が変化し、その結果、様々な方向に歪が生じる可能性がある。これに対し、上に示したように、１個の太陽電池モジュールＭに対して４種類の異なる支持形態が並存することにより、多様な吸収性能を発揮することができ、支持の高い安定性が得られる。しかも、このように４種類の支持形態において、保持板３０は共通の形状であり、その設置の向きを変えればよいので、取付金具２０の製造コストが低減されている。
【００４３】
これらの取付金具２０ａ〜２０ｄは、図１中央の太陽電池モジュールＭ０の右及び左に位置する太陽電池モジュールＭ１、Ｍ２との関係において、以下の構造と配置となっている。
右側の太陽電池モジュールＭ１に対して、
・取付金具２０ａ：［傾斜方向板３１］＋［下部４２１に対して上部４２２が右方へ延びる等高方向片４２ａ］
・取付金具２０ｄ：［等高方向板３２］＋［下部４１１に対して上部４１２が鈍角をなす傾斜方向片４１ｂ］
左側の太陽電池モジュールＭ２に対して、
・取付金具２０ｂ：［傾斜方向板３１］＋［下部４２１に対して上部４２２が左方へ延びる等高方向片４２ｂ］
・取付金具２０ｃ：［等高方向板３２］＋［下部４１１に対して上部４１２が鋭角をなす傾斜方向片４１ａ］
【００４４】
この実施形態では、太陽電池モジュールＭは等高方向が約１ｍ、傾斜方向が約１．５ｍの大きさとなっており、保持板３０及び支持片４０は各々約１０ｃｍの高さとなっている。この支持構造により支持される太陽電池モジュールＭは水辺面に対して約１５度で傾斜する。
【００４５】
取付金具の構造及び配置をこのようにすることによって、１つの太陽電池モジュールＭの前方に位置する取付金具２０ａ，２０ｃは、等高方向板３２から傾斜方向板３１が前方へ曲折し、後方に位置する取付金具２０ｂ，２０ｄは、等高方向板３２から傾斜方向板３１が後方へ曲折した状態となる。これにより、左右方向に配列される太陽電池モジュールＭに対し、その前方及び後方から取付け作業を行なう際に、傾斜方向板３１が等高方向板３２の奧側に位置することがなく、作業が行ない易くなっている。
【００４６】
なお、配列された複数の太陽電池モジュールＭの左右端部に位置する取付金具２０は、１個の支持片４０のみを備えればよい。例えば、図１の左端に示す太陽電池モジュールＭ２の左側の縁部を支持する取付金具２０ｅ，２０ｆは、各々傾斜方向片４１ｂ、等高方向片４２ａのみを備える。図１には、左右一列の太陽電池モジュールＭのみを示しているが、多くの場合は、その前方または後方にも左右方向に配列された太陽電池モジュールＭが同様にして設置される。
【００４７】
支持片４１，４２の各々は、下部４１１，４２１に複数（この例では５個）の孔４１３が形成され、上部４１２，４２２に該上部の延在方向（長手方向）に延びるスリット４１４，４２４が形成されている。
【００４８】
図８及び図９に詳細を示すように、ボルト５１を保持板３０のスリット３１２，３２２及び支持片４１，４２の孔４１３，４２３の一つに通し、ナット５２を締結することにより、支持片４１，４２が保持板３０に固定されている。締結されるこれらの部材間には必要に応じて平ワッシャ５３を介在させる。また、保持板３０と支持片４０との間、及び、ボルト５１のボルトヘッドと保持板３０との間には、スプリングワッシャ５４を介在させている。そして、ボルトの締結の際に締結トルクを調整し、所定値以上の外力でボルト５１が支持片４１，４２を伴ってスリット３１２，３２２に沿って滑動し得るように締結する。滑動を生じさせる外力の大きさは、想定される地盤の変形量、太陽電池モジュールの寸法や重量等に応じて決められ、地盤が変形してもその一部または全部を吸収することにより太陽電池モジュールに損傷が生じないようにされる。
【００４９】
図９に取付金具２０ａと太陽電池モジュールＭとの取付け構造を示す。図に一例を示すように、太陽電池モジュールＭは、フレーム８０で太陽電池本体８８を支持した構造となっている。フレーム８０は、太陽電池本体８８の四周を囲んでおり、上部枠８１、外枠８２、外枠８２から内方へ突出した段部８３、及び下部枠８４及び充填材８５を備えている。
【００５０】
フレーム８０は、取付金具２０にボルト止めされる。これに関し、図９は取付金具２０ａの例を示しており、フレーム８０の下部枠８４に形成された孔及び支持片上部４２２のスリット４２４にボルト５１を通し、ナット５２を締結する。この場合も、締結されるこれらの部材間には必要に応じて平ワッシャ５３を介在させる。また、ボルト５１のボルトヘッドと下部枠８４との間、及び、下部枠８４と支持片４０とのにはスプリングワッシャ５４を介在させている。そして、ボルトの締結の際に締結トルクを調整し、所定値以上の外力でボルト５１が下部枠８４を伴ってスリット４２４に沿って滑動し得るように締結する。
【００５１】
このようにして構築された太陽電池モジュールの支持構造は、次のように作用する。太陽電池モジュールＭの設置箇所で不等沈下等による地盤の歪が生じると、４個のコンクリートブロック１０の相対位置が変化する。図１０はこのようにして、外力によりボルト５１がスリットに沿って滑動した状態の一例を示している。地盤の変動が１個のコンクリートブロック１０の沈下を生じた場合であっても、太陽電池モジュールＭは立体的に歪むので、取付金具２０による支持箇所は鉛直方向のみならず水平方向やねじり方向にも変位し、その変位は他のコンクリートブロック１０上の取付金具２０にも及び、外力となって作用する。これに対し、取付金具２０は、外力が所定値を越えて大きくなると、保持板３０と支持片４０との間、並びに支持片４０と太陽電池モジュールＭとの間で、ボルト５１がスリットに沿って滑動する。その滑動により外力の一部または全部が吸収され、太陽電池モジュールは、支持部分から大きな外力を受けるのが防止され、安定的な支持が維持される。
【００５２】
また、このようにして安定的な支持が維持されるので、太陽電池モジュールの設置後に支持状態を監視する必要をなくし、或いは極めて少ない頻度に低減させることができる。このことは、多数世帯に電力供給をする大発電システムのように、極めて多数の太陽電池モジュールを設置した際に、メンテナンスの必要性を大きく軽減できるという点で、極めて有利である。
【００５３】
以上、本発明の一実施形態について説明したが、本発明はこれに限定されるものではなく、その趣旨を逸脱しない限りにおいて種々の変更が可能である。例えば、支持片４１，４２を保持板３０に固定させる際には、保持板３０、支持片４０、これらを締結するボルト５１のボルトヘッド、及びナット５２の間のいずれか１つまたは複数の箇所にスプリングワッシャ５４を介在させることができる。また、太陽電池モジュールMを支持片４０に固定させる際にも、太陽電池モジュールＭ、支持片４０、これらを締結するボルト５１のボルトヘッド、及びナット５２の間のいずれか１つまたは複数の箇所にスプリングワッシャ５４を介在させることができる。
【００５４】
上記実施形態では、支持片４０は、傾斜方向片４１と等高方向片４２に区別され、傾斜方向片４１は傾斜方向が鋭角のものと鈍角のものとに区別され、等高方向片４２は延在方向が右と左とに区別される仕様とした。これにより、前述のように多様な歪吸収性能を発揮することができるが、その必要性が低い場合は、傾斜方向片４１及び等高方向片４２の一方または双方をいずれか一つの仕様としてもよい。さらに歪吸収性能の多様性についての必要度が低い場合は、傾斜方向片４１及び等高方向片４２のいずれか一方のみの仕様としてもよい。
【００５５】
また、１個の太陽電池モジュールＭを支持する取付金具の数は、通常４個とするのが支持の安定性及び作業の効率の点で望ましいが、これを３個とし、或いは５個以上とすることもできる。取付金具による太陽電池モジュールの支持箇所は、左右の縁部の他、上下の縁部、及びこれらの組み合わせとしてもよい。
【符号の説明】
【００５６】
１０，１０ａ，１０ｂ：コンクリートブロック
２０，２０ａ，２０ｂ，２０ｃ，２０ｄ：取付金具
３０：保持板
３１，３１ａ，３１ｂ：傾斜方向板
３２，３２ａ，３２ｂ：等高方向板
４０：支持片
４１，４１ａ，４１ｂ：傾斜方向片
４２，４２ａ，４２ｂ：等高方向片
５１：ボルト
５２：ナット
５３：平ワッシャ
５４：スプリングワッシャ
５７：アンカーボルト
３１２，３２２：スリット
４１１，４２１：支持片の下部
４１２，４２２：支持片の上部
４１４，４２４：スリット
Ｍ：太陽電池モジュール
【図１】
2010258024.tif 000003
【図２】
2010258024.tif 000004
【図３】
2010258024.tif 000005
【図４】
2010258024.tif 000006
【図５】
2010258024.tif 000007
【図６】
2010258024.tif 000008
【図７】
2010258024.tif 000009
【図８】
2010258024.tif 000010
【図９】
2010258024.tif 000011
【図１０】
2010258024.tif 000012